(57)【要約】【課題】  アークホーンを備えていても、電線被覆を剥ぐことなく、作業効率よく電線を固定することのできる、ポリマー碍子を提供すること。【解決手段】  碍子部２のスペーサ６の凹部１２に線路の電線４１を受け入れさせて、その状態で、バインド線１４を、それら電線４１およびスペーサ６に巻き付ける（縛り付ける）ことにより、電線４１をスペーサ６に固定する一方、上側アークホーン２２を、電線４１に、スペーサ６と水平方向において所定間隔を隔ててクランプ部材２４を介して固定するとともに、下側アークホーン２３を、碍子部２の下側において、碍子部２の台座板１５の装着部１６に、ねじ１７によって、上側アークホーン２３の下端部に対して上下方向の位置を調整した状態で固定する。【選択図】    図１
2005079045.tif 000002
【特許請求の範囲】
【請求項１】
高分子製の芯材と、前記芯材の一端部において、電線をバインド線で固定するための凹部が設けられている電線固定部とを備える碍子部と、
前記碍子部と所定間隔を隔てて取り付けられるアークホーン部とを備えていることを特徴とする、ポリマー碍子。
【請求項２】
前記アークホーン部は、互いに上下方向に所定間隔を隔てて配置される上側アークホーンおよび下側アークホーンを備え、
前記上側アークホーンは、前記碍子部の上側において、前記電線固定部と水平方向において所定間隔を隔てた電線に取り付けられており、
前記下側アークホーンは、前記碍子部の下側において、前記碍子部に設けられる台座に取り付けられていることを特徴とする、請求項１に記載のポリマー碍子。
【請求項３】
前記下側アークホーンは、前記上側アークホーンに対して上下方向の位置調整可能に設けられていることを特徴とする、請求項２に記載のポリマー碍子。
【請求項４】
前記上側アークホーンは、電線にクランプ部材を介して固定されており、
前記クランプ部材は、電線を挟持する電線挟持部と、前記上側アークホーンを挟持するアークホーン挟持部とを備え、
前記電線挟持部および前記アークホーン挟持部には、電線および前記上側アークホーンに接触する針が、互いに導通するように設けられていることを特徴とする、請求項２または３に記載のポリマー碍子。
【発明の詳細な説明】
【技術分野】
【０００１】
本発明は、ポリマー碍子、詳しくは、ラインポスト碍子などとして用いられるポリマー碍子に関する。
【背景技術】
【０００２】
ラインポスト碍子は、電柱に設けられ、線路の電線を引通して固定するために用いられる碍子であって、近年、繊維強化プラスチック（以下、ＦＲＰと省略する。）を芯材とするポリマー碍子が、軽量、加工容易、汚損特性に優れた特徴を有することから、広く用いられている。
【０００３】
このようなラインポスト碍子には、通常、アークホーンが取り付けられており、たとえば、落雷などの事故時において生じる過大な電流を、これらの間で放電させて、ラインポスト碍子の損傷を防止するようにしている。
【０００４】
また、このようなラインポスト碍子には、通常、芯材の上端部側に、電線を引通すための固定金具が設けられている（特許文献１参照。）。
【０００５】
【特許文献１】特開２００２−２１６５６２号公報
【発明の開示】
【発明が解決しようとする課題】
【０００６】
しかし、固定金具に電線を通すためには、電線被覆を剥ぐ必要があり、被覆を剥がずにバインド線にて固定する６ｋＶ高圧ピン碍子などに比べて作業効率が不良である。また、被覆を剥ぐために充電部を保護するカバーが必要となり、高圧での固定方法に比べてコストアップの要因となっている。
【０００７】
本発明は、このような事情に鑑みなされたものであり、その目的とするところは、アークホーンを備えていても、電線被覆を剥ぐことなく、作業効率よく電線を固定することのできる、ポリマー碍子を提供することにある。
【課題を解決するための手段】
【０００８】
上記の目的を達成するため、請求項１に記載の発明は、高分子製の芯材と、前記芯材の一端部において、電線をバインド線で固定するための凹部が設けられている電線固定部とを備える碍子部と、前記碍子部と所定間隔を隔てて取り付けられるアークホーン部とを備えていることを特徴としている。
【０００９】
このような構成によると、アークホーン部が、碍子部と所定間隔を隔てて取り付けられるので、その碍子部の電線固定部の凹部に、電線を、電線被覆を剥ぐことなく、バインド線で簡易かつ確実に固定することができる。そのため、アークホーン部を備えていても、電線被覆を剥ぐことなく、碍子部に作業効率よく電線を固定することができる。
【００１０】
また、請求項２に記載の発明は、請求項１に記載の発明において、前記アークホーン部は、互いに上下方向に所定間隔を隔てて配置される上側アークホーンおよび下側アークホーンを備え、前記上側アークホーンは、前記碍子部の上側において、前記電線固定部と水平方向において所定間隔を隔てた電線に取り付けられており、前記下側アークホーンは、前記碍子部の下側において、前記碍子部に設けられる台座に取り付けられていることを特徴としている。
【００１１】
このような構成によると、上側アークホーンが電線に取り付けられる一方、下側アークホーンが碍子部に設けられる台座に取り付けられるので、簡易な構成により、上側アークホーンおよび下側アークホーンを、碍子部と所定間隔を隔てて確実に取り付けることができる。
【００１２】
また、請求項３に記載の発明は、請求項２に記載の発明において、前記下側アークホーンは、前記上側アークホーンに対して上下方向の位置調整可能に設けられていることを特徴としている。
【００１３】
上側アークホーンは、電線に取り付けられるため、取り付け状態により固定される位置が変化するが、このような構成によると、下側アークホーンを上側アークホーンに対して上下方向に位置調整できるので、たとえ、上側アークホーンの位置が変化しても、その下側アークホーンを位置調整することで、上側アークホーンと下側アークホーンとの相対位置を常に所定間隔で保持することができる。
【００１４】
また、請求項４に記載の発明は、請求項２または３に記載の発明において、前記上側アークホーンは、電線にクランプ部材を介して固定されており、前記クランプ部材は、電線を挟持する電線挟持部と、前記上側アークホーンを挟持するアークホーン挟持部とを備え、前記電線挟持部および前記アークホーン挟持部には、電線および前記上側アークホーンに接触する針が、互いに導通するように設けられていることを特徴としている。
【００１５】
このような構成によると、クランプ部材は、電線挟持部およびアークホーン挟持部に設けられる針によって、電線およびアークホーンをしっかりと挟持することができる。そのため、上側アークホーンを電線にしっかりと固定することができる。また、電線挟持部の針と、アークホーン挟持部の針とは、互いに導通しているので、クランプ部材によって、電線およびアークホーンを挟持すれば、それらに接触する各針の導通により、電線およびアークホーンを簡易に導通させることができる。そのため、さらなる作業効率の向上を図ることができる。
【発明の効果】
【００１６】
以上述べたように、請求項１に記載の発明によれば、アークホーン部を備えていても、電線被覆を剥ぐことなく、碍子部に作業効率よく電線を固定することができる。
【００１７】
請求項２に記載の発明によれば、上側アークホーンおよび下側アークホーンを、碍子部と所定間隔を隔てて確実に取り付けることができる。
【００１８】
請求項３に記載の発明によれば、たとえ、上側アークホーンの位置が変化しても、上側アークホーンと下側アークホーンとの相対位置を常に所定間隔で保持することができる。
【００１９】
請求項４に記載の発明によれば、上側アークホーンを電線にしっかりと固定することができる。また、さらなる作業効率の向上を図ることができる。
【発明を実施するための最良の形態】
【００２０】
図１は、本発明のポリマー碍子としてのラインポスト碍子の一実施形態を示す側面図、図２は、そのラインポスト碍子の一端部側（上端部側）を示す一部断面側面図、図３は、クランプ部材の側面図、図４は、クランプ部材の平面図である。
【００２１】
図１において、このラインポスト碍子１は、碍子部２と、アークホーン部２１とを備えている。
【００２２】
碍子部２は、線路の電線４１を引通して固定するために用いられるポリマー碍子であって、中実円柱状に形成されたＦＲＰ製の芯材３（図２参照）と、この芯材３を長手方向全体にわたって被覆するカバー４（図２参照）と、芯材３の上端部に設けられる金属リング部材５（図２参照）と、芯材３の上端部側かつ金属リング部材５の下端部側であって、金属リング部材５と上下方向において隣り合って設けられる電線固定部としてのスペーサ６と、芯材３の下端部に設けられる支持金具７と、後述する下側アークホーン２３を支持するための台座としての台座板１５とを備えている。
【００２３】
金属リング部材５は、図２に示すように、芯材３の外周面とほぼ同一の内周面を有する金属製のリング部材から形成されている。
【００２４】
この金属リング部材５は、その上面が芯材３の上端面と面一となるように、芯材３の上端部に挿入され、ダイスなどによってかしめられることにより、芯材３の周りに圧着固定されている。
【００２５】
また、カバー４は、シリコーンゴムなどからなり、金属リング部材５を含んで（図２参照）、図１に示すように、芯材３を軸方向全体にわたって被覆するように設けられている。このカバー４には、径方向外方に延びる笠状の突部１１が、その軸方向において所定間隔を隔てて複数形成されている。また、カバー４の下端部は、後述するように、支持金具７の支持部８によって芯材３との間において圧着固定されている。
【００２６】
なお、このカバー４におけるスペーサ６の装着位置（金属リング部材５の下側部）には、周方向にわたって凹状に形成されるスペーサ取付部１３（図２参照）が設けられている。
【００２７】
スペーサ６は、硬質ゴムからなり、リング状に形成されている。このスペーサ６には、上下方向中央が内側方向に窪む最深部となる、電線４１をバインド線１４で固定するための凹部１２が、周方向にわたって形成されている。また、このスペーサ６は、カバー４のスペーサ取付部１３の周りに嵌合するように装着されている。
【００２８】
支持金具７は、芯材３を支持するための支持部８と、電柱に設けられるアーム４２に固定するための軸部９とを備えている。支持部８は、芯材３の下端部が挿入固定される有底円筒形状をなし、芯材３の下端部がカバー４の下端部とともに支持部８に挿入された状態で、ダイスなどによってかしめられることにより、その芯材３の下端部がカバー４の下端部とともに圧着固定されている。
【００２９】
軸部９は、その下端部にねじ山が形成されており、支持金具７の底面（より具体的には、台座板１５の底面）と、ねじ山に螺着されるねじ１０との間に、アーム４２を挟持するようにして、電柱に取り付け可能に構成されている。
【００３０】
また、台座板１５は、長手方向に延びる平板状をなし、その長手方向の一端部が、支持金具７の支持部８の底面に接合されており、その長手方向の他端部に、下側アークホーン２３を装着するための装着部１６が設けられている。
【００３１】
装着部１６は、下側アークホーン２３が貫通状に挿入される孔からなり、その上下において、下側アークホーン２３を固定するためのねじ１７が設けられている。
【００３２】
そして、このようなラインポスト碍子１は、図１に示すように、たとえば、支持金具７の軸部９が、電柱のアーム４２に取り付けられた状態で、線路の電線４１をスペーサ６の凹部１２に受け入れさせて、その状態で、バインド線１４を、それら電線４１およびスペーサ６に巻き付ける（縛り付ける）ことにより、電線４１を固定するようにして用いられる。
【００３３】
また、このラインポスト碍子１は、スペーサ６よりも、芯材３の上端部側に芯材３から周方向に膨出する金属リング部材５が設けられているので、たとえば、電柱に自動車などが衝突して、電柱が折れ曲がった場合に、その電柱に、このラインポスト碍子１を介して取り付けられている電線４１に、上方向の引張力が作用しても、金属リング部材５がスペーサ６の上方向への移動を規制するので、その金属リング部材５によって、電線４１がスペーサ６ごと引き抜かれることを防止することができる。
【００３４】
アークホーン部２１は、上側アークホーン２２、クランプ部材２４、下側アークホーン２３および絶縁をさらに補助する補助カバー３６を備えている。
【００３５】
上側アークホーン２２は、略Ｌ字棒状をなし、碍子部２の上側において、電線４１に、スペーサ６と水平方向において所定間隔（たとえば、１１５〜１２５ｍｍ）を隔てて、次に述べるクランプ部材２４を介して固定されている。なお、この上側アークホーン２２は、ゴム製チューブからなる上側カバー３４によって被覆されている。
【００３６】
クランプ部材２４は、図３および図４に示すように、互いに対向する１対のサイドカバー２５と、これらサイドカバー２５の締付ボルト２６とを備えている。各サイドカバー２５は、樹脂からなる半割体として、略対称に形成されており、その上部には、電線４１を挟持する電線挟持部２７が凹状に対向状に形成されるとともに、その下部には、上側アークホーン２２を挟持するアークホーン挟持部２８が凹状に対向状に形成されている。また、各電線挟持部２７および各アークホーン挟持部２８には、針部材３０が設けられている。この針部材３０は、長手方向に延びる断面略扇形状をなし、互いに内側に向かって延びる針２９を備えている。また、この針部材３０は、各電線挟持部２７および各アークホーン挟持部２８において、図３に示すように、凹面が対向するように、水平方向において互いに所定間隔を隔てて２つ、図４に示すように、上下方向において互いに所定間隔を隔てて２つ、それぞれ対向状に設けられている。また、これら針部材３０の針２９は、サイドカバー２５内において、互いに導通されている。
【００３７】
また、締付ボルト２６は、図３に示すように、上下に配置される針部材３０の間において、各サイドカバー２５を貫通するボルト３２と、そのボルト３２の一端部において、一体的に設けられ、一方のサイドカバー２５に係止される頭部３１と、そのボルト３２の他端部において、軸方向に移動可能に螺着され、他方のサイドカバー２５に当接されるナット３３とを備えている。
【００３８】
そして、上側アークホーン２２は、図１に示すように、クランプ部材２４によって、次のようにして電線４１に固定される。
【００３９】
すなわち、まず、碍子部２から水平方向に所定間隔を隔てた上記の位置において、クランプ部材２４の各電線挟持部２７の間で電線４１を挟持するとともに、各アークホーン挟持部２８の間で上側アークホーン２２の長杆側途中を、その上側アークホーン２２の短杆が下向きとなる状態で挟持する。そして、締付ボルト２６のナット３３をボルト３２に対して螺進させて、各サイドカバー２５を近接させる。そうすると、各電線挟持部２７においては、各針部材３０の針２９が、電線４１の被覆ゴム（電線被覆）に食い込み導線に接触し、また、各アークホーン挟持部２８においては、各針部材３０の針２９が、上側アークホーン２２に突き刺さるので、これによって、クランプ部材２４が、各電線挟持部２７および各アークホーン挟持部２８に設けられる各針部材３０によって、電線４１および上側アークホーン２２をしっかりと挟持する。そのため、これによって、上側アークホーン２２が、クランプ部材２４を介して電線４１にしっかりと固定される。
【００４０】
また、各電線挟持部２７の各針部材３０の針２９と、各アークホーン挟持部２８の各針部材３０の針２９とは、互いに導通しているので、クランプ部材２４によって、電線４１および上側アークホーン２２を挟持すれば、それらに接触する各針２９の導通により、電線４１および上側アークホーン２２を簡易に導通させることができる。そのため、さらなる作業効率の向上を図ることができる。
【００４１】
なお、この固定においては、より具体的には、上側アークホーン２２の短杆の下端部が、次に述べる下側アークホーン２３の上端部と、上下左右方向において対向するように、上側アークホーン２２の水平方向位置が調整される。
【００４２】
また、このようにして電線４１に取り付けられたクランプ部材２４および上側アークホーン２２は、絶縁カバー３６で被覆されている。
【００４３】
下側アークホーン２３は、直線状に延びる棒状をなし、碍子部２の下側において、碍子部２の台座板１５の装着部１６に挿入され、ねじ１７によって、下側アークホーン２３の上端部が、上側アークホーン２３の短杆の下端部に対して上下方向の位置が調整された状態で固定される。なお、この下側アークホーン２３は、プラスチック製チューブからなる下側カバー３５によって被覆されている。
【００４４】
これによって、このラインポスト碍子１では、下側アークホーン２３の上端部を上側アークホーン２２の短杆の下端部に対して上下方向に位置調整して固定することができるので、たとえ、上側アークホーン２２が電線４１に取り付けられるために、その取り付け状態により固定される位置が変化しても、その下側アークホーン２３を位置調整することで、上側アークホーン２２の短杆の下端部と、下側アークホーン２３の上端部との相対位置を常に所定間隔で保持することができる。
【００４５】
そして、このラインポスト碍子１では、上側アークホーン２２が、碍子部２のスペーサ６と所定間隔を隔てて取り付けられるので、その碍子部２のスペーサ６の凹部１２に、電線４１をバインド線１４で簡易かつ確実に固定することができる。そのため、アークホーン部２１を備えていても、被覆ゴム（電線被覆）を剥ぐことなく、碍子部１に作業効率よく電線４１を固定することができる。
【００４６】
また、このアークホーン部２１では、上側アークホーン２２が電線４１に取り付けられる一方、下側アークホーン２３が碍子部２に設けられる台座板１５の装着部１６に取り付けられるので、簡易な構成により、上側アークホーン２２および下側アークホーン２３を、碍子部２と所定間隔を隔てて確実に取り付けることができる。
【図面の簡単な説明】
【００４７】
【図１】本発明のポリマー碍子としてのラインポスト碍子の一実施形態を示す側面図である。
【図２】図１に示すラインポスト碍子の一端部側を示す一部断面側面図である。
【図３】図１に示すラインポスト碍子のクランプ部材の側面図である。
【図４】図１に示すラインポスト碍子のクランプ部材の平面図である。
【符号の説明】
【００４８】
１      ラインポスト碍子
２      碍子部
３      芯材
５      金属リング部材
６      スペーサ
１２    凹部
１５    台座板
２１    アークホーン部
２２    上側アークホーン
２３    下側アークホーン
２４    クランプ部材
２７    電線挟持部
２８    アークホーン挟持部
３０    針部材
４１    電線
【図１】
2005079045.tif 000003
【図２】
2005079045.tif 000004
【図３】
2005079045.tif 000005
【図４】
2005079045.tif 000006